【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
窓枠（３）内に配置された障子（４）の上部が下方に移動するとともに前記障子（４）の下部が前記窓枠（３）から離れる方向に移動することで、前記障子（４）が傾斜状に開かれる辷り出し窓（１）の開閉装置であって、
前記障子（４）に設けられる傾斜規制用ブラケット（２０）と、
前記窓枠（３）の建物内方側に、前記窓枠（３）の縦枠（３ａ）に沿って上下方向へ延びるように設けられる縦ベース（１６）と、
前記縦ベース（１６）を昇降移動可能であり、前記傾斜規制用ブラケット（２０）の下側部分を受け止め可能になっている開閉用ブラケット（２２）と、
を備え、
前記開閉用ブラケット（２２）が、前記障子（４）が所定の姿勢になる高さ位置まで昇降移動することを特徴とする辷り出し窓（１）の開閉装置（１３）。
【請求項２】
排煙の際に障子（４）が閉じ方向側へ姿勢変更している場合には、前記開閉用ブラケット（２２）が押圧用ブラケット（２４）を押し下げて、その押圧用ブラケット（２４）が傾斜規制用ブラケット（２０）の上側部分に当接して傾斜規制用ブラケット（２０）を押し下げるものである請求項１に記載の辷り出し窓（１）の開閉装置（１３）。
【請求項３】
前記傾斜規制用ブラケット（２０）は、その突出先端側にローラ（１９）を配置していて、そのローラ（１９）の上端側に前記押圧用ブラケット（２４）が当接するとともに、前記ローラ（１９）の下端側を前記開閉用ブラケット（２２）が受け止め可能になっていることを特徴とする請求項２に記載の辷り出し窓（１）の開閉装置（１３）。
【請求項４】
前記開閉用ブラケット（２２）を昇降させる昇降駆動手段を備え、
前記昇降駆動手段が、前記開閉用ブラケット（２２）にワイヤを介して接続していてそのワイヤを巻き取ることで前記開閉用ブラケット（２２）を上昇させる開閉操作装置（１２）と、前記開閉用ブラケット（２２）を下向きに付勢している引っ張りバネ（２６）とからなり、
前記開閉操作装置（１２）による前記ワイヤの巻き取りを解除したときには、前記引っ張りバネ（２６）の付勢力によって前記開閉用ブラケット（２２）が下降することを特徴とする請求項１乃至３のいずれかに記載の辷り出し窓（１）の開閉装置（１３）。
【請求項５】
前記押圧用ブラケット（２４）は、上側ブラケット（２４ａ）と下側ブラケット（２４ｂ）と上側ブラケット（２４ａ）と下側ブラケット（２４ｂ）とを連結する連結部（２４ｃ）とを備え、
風圧に応じて閉じ方向側へ障子（４）を姿勢変更できるように、前記傾斜規制用ブラケット（２０）により前記上側ブラケット（２４ａ）を押し上げ可能とするとともに、前記開閉用ブラケット（２２）が前記下側ブラケット（２４ｂ）を押し下げることで、前記上側ブラケット（２４ａ）が前記傾斜規制用ブラケット（２０）を押し下げ、
前記障子（４）を排煙姿勢に向けて開かせることが可能である請求項２乃至４いずれか１項に記載の辷り出し窓（１）の開閉装置（１３）。
【請求項６】
窓枠（３）内に配置された障子（４）の上部が下方に移動するとともに前記障子（４）の下部が前記窓枠（３）から離れる方向に移動することで前記障子（４）が傾斜状に開かれる辷り出し窓（１）であって、
前記障子（４）に設けられる傾斜規制用ブラケット（２０）と、
前記窓枠（３）の縦枠（３ａ）に沿って上下方向へ延びるように設けられる縦ベース（１６）と、
前記縦ベース（１６）を昇降移動可能であり、前記傾斜規制用ブラケット（２０）の上側部分に当接可能な押圧ブラケット（２４）と、
前記縦ベース（１６）を昇降移動可能であり、前記傾斜規制用ブラケット（２０）の下側部分を受け止め可能になっている開閉用ブラケット（２２）と、
を備え、
前記障子（４）が開いている状態で、前記傾斜規制用ブラケット（２０）が押圧用ブラケット（２４）を押し上げて風圧に応じて障子（４）を閉じ方向側へ姿勢変更可能な状態と、押圧用ブラケット（２４）が前記傾斜規制用ブラケット（２０）を押し下げることで前記障子（４）を排煙姿勢に開く状態と、を有することを特徴とする辷り出し窓（１）。
【手続補正２】
【補正対象書類名】明細書
【補正対象項目名】０００９
【補正方法】変更
【補正の内容】
【０００９】
本発明は、かかる不都合を解決するために、窓枠３内に配置された障子４の上部が下方に移動するとともに障子４の下部が窓枠３から離れる方向に移動することで、障子４が傾斜状に開かれる辷り出し窓１の開閉装置であって、障子４に設けられる傾斜規制用ブラケット２０と、窓枠３の建物内方側に、窓枠３の縦枠３ａに沿って上下方向へ延びるように設けられる縦ベース１６と、縦ベース１６を昇降移動可能であり、傾斜規制用ブラケット２０の下側部分を受け止め可能になっている開閉用ブラケット２２と、を備え、開閉用ブラケット２２が、障子４が所定の姿勢になる高さ位置まで昇降移動することを特徴とする。
【手続補正３】
【補正対象書類名】明細書
【補正対象項目名】００１０
【補正方法】変更
【補正の内容】
【００１０】
本発明は、排煙の際に障子４が閉じ方向側へ姿勢変更している場合には、開閉用ブラケット２２が押圧用ブラケット２４を押し下げて、その押圧用ブラケット２４が傾斜規制用ブラケット２０の上側部分に当接して傾斜規制用ブラケット２０を押し下げるものである。
本発明の傾斜規制用ブラケット２０は、その突出先端側にローラ１９を配置していて、そのローラ１９の上端側に押圧用ブラケット２４が当接するとともに、ローラ１９の下端側を開閉用ブラケット２２が受け止め可能になっていることを特徴とする。
本発明は、開閉用ブラケット２２を昇降させる昇降駆動手段を備え、昇降駆動手段が、開閉用ブラケット２２にワイヤを介して接続していてそのワイヤを巻き取ることで開閉用ブラケット２２を上昇させる開閉操作装置１２と、開閉用ブラケット２２を下向きに付勢している引っ張りバネ２６とからなり、開閉操作装置１２によるワイヤの巻き取りを解除したときには、引っ張りバネ２６の付勢力によって開閉用ブラケット２２が下降することを特徴とする。
本発明の押圧用ブラケット２４は、上側ブラケット２４ａと下側ブラケット２４ｂと上側ブラケット２４ａと下側ブラケット２４ｂとを連結する連結部２４ｃとを備え、風圧に応じて閉じ方向側へ障子４を姿勢変更させられるように、傾斜規制用ブラケット２０により上側ブラケット２４ａを押し上げ可能とするとともに、開閉用ブラケット２２が下側ブラケット２４ｂを押し下げて障子４を排煙姿勢まで押し下げ可能とされる。
本発明は、窓枠３内に配置された障子４の上部が下方に移動するとともに障子４の下部が窓枠３から離れる方向に移動することで障子４が傾斜状に開かれる辷り出し窓１であって、障子４に設けられる傾斜規制用ブラケット２０と、窓枠３の縦枠３ａに沿って上下方向へ延びるように設けられる縦ベース１６と、縦ベース１６を昇降移動可能であり、傾斜規制用ブラケット２０の上側部分に当接可能な押圧ブラケット２４と、縦ベース１６を昇降移動可能であり、傾斜規制用ブラケット２０の下側部分を受け止め可能になっている開閉用ブラケット２２と、を備え、障子４が開いている状態で、傾斜規制用ブラケット２０が押圧用ブラケット２４を押し上げて風圧に応じて障子４を閉じ方向側へ姿勢変更可能な状態と、押圧用ブラケット２４が傾斜規制用ブラケット２０を押し下げることで障子４を排煙姿勢に開く状態と、を有することを特徴とする。

【手続補正４】
【補正対象書類名】明細書
【補正対象項目名】００１１
【補正方法】変更
【補正の内容】
【００１１】
ここでの昇降駆動手段には、ワイヤロープや化学繊維製のロープやチェーンなどを開閉用ブラケット２２に接続し、そのワイヤロープやロープやチェーンなどをモータや手動のハンドルなどで駆動することで開閉用ブラケット２２を昇降させるものや引っ張りバネなどが該当する。押圧用ブラケット２４は、自重で傾斜規制用ブラケット２０の上側部分に当接するものなどが該当し、バネで傾押圧用ブラケット２４を斜規制用ブラケット２０の上側部分に当接させるものなども含まれる。ここでの風圧には自然風によるものなどが該当する。窓枠３には方立なども含まれる。縦ベース１６は、窓枠３の縦枠３ａに直接取り付けている（固定している）場合や、縦枠３ａに固定した部材を介して前記縦枠３ａに取り付けている場合などが該当する。  詳しくは傾斜規制用ブラケット２０は、その突出先端側にローラ１９を配置していて、そのローラ１９の上端側に押圧用ブラケット２４が当接するとともに、ローラ１９の下端側を開閉用ブラケット２２が受け止め可能になっていることを特徴とする。